(57)【要約】【課題】複数の表示器が一列に並ぶ場合であっても、視認性を向上できる表示装置を提供する。【解決手段】画像を表示する複数の表示器１１１〜１１４と、表示器の背面に配置されて、表示器を照射するバックライト１２１〜１２４と、バックライトの発光量を制御する回路部と、を備える表示装置において、複数の表示器は、互いに隣接して一列に並ぶように配置されており、回路部は、複数の表示器における視認者からの見栄えが同等になるように、複数の表示器に対する視認者の視角θ１〜θ４に応じて、バックライトの発光量を調節して、表示器におけるローカルディミング機能の度合を制御する。【選択図】図３
2020076831.tif 000002
【特許請求の範囲】
【請求項１】
画像を表示する複数の表示器（１１１〜１１４）と、
前記表示器の背面に配置されて、前記表示器を照射するバックライト（１２１〜１２４）と、
前記バックライトの発光量を制御する回路部（１６１〜１６４）と、を備える表示装置において、
複数の前記表示器は、互いに隣接して一列に並ぶように配置されており、
前記回路部は、複数の前記表示器における視認者からの見栄えが同等になるように、複数の前記表示器に対する前記視認者の視角（θ１〜θ４）に応じて、前記発光量を調節して、前記表示器におけるローカルディミング機能の度合を制御する表示装置。
【請求項２】
前記回路部は、前記ローカルディミング機能の度合いを制御するにあたって、複数の前記表示器のそれぞれに対する前記ローカルディミング機能のオンオフの仕分けによって対応する請求項１に記載の表示装置。
【請求項３】
前記回路部は、複数の前記表示器ごとに前記ローカルディミング機能の度合いを変更するようになっており、１つの前記表示器に対しては、前記ローカルディミング機能の度合いは一定とする請求項１に記載の表示装置。
【請求項４】
前記回路部は、複数の前記表示器ごとに前記ローカルディミング機能の度合いを変更するようになっており、１つの前記表示器に対しては、前記ローカルディミング機能の度合いを徐変する請求項１に記載の表示装置。
【請求項５】
前記バックライトは、複数の前記表示器に対して、１つ設けられたものとなっており、
前記回路部は、１つの前記表示器に対しては、前記ローカルディミング機能の度合いが一定となるようにして、複数の前記表示器の全体に対して前記ローカルディミング機能の度合いが段階的に変化するように制御する請求項１に記載の表示装置。
【請求項６】
前記バックライトは、複数の前記表示器に対して、１つ設けられたものとなっており、
前記回路部は、１つの前記表示器に対しては、前記ローカルディミング機能の度合いを徐変して、複数の前記表示器の全体に対して前記ローカルディミング機能の度合いが連続的に変化するように制御する請求項１に記載の表示装置。
【発明の詳細な説明】
【技術分野】
【０００１】
本発明は、複数の表示部が一列に並ぶように配置される表示装置に関するものである。
【背景技術】
【０００２】
従来の表示装置として、例えば、特許文献１に記載されたものが知られている。特許文献１における表示装置（液晶表示装置）においては、画像を表示する複数の表示器（液晶パネル）がマトリックス状に配置され、各表示器の背面には、複数のセグメントに区画されたバックライトがそれぞれ設けられている。また、表示用画像の画像データを受信する受信部と、バックライトの各セグメントの発光量を決定（ローカルディミング処理）する光量決定部とが設けられている。
【０００３】
そして、受信部が、画像データの周辺側となって、他の表示器の少なくとも一部に表示される周辺表示画像データを受信すると、光量決定部は、画像データと、周辺表示画像データとに基づいて、バックライトにおける各セグメントの発光量を決定するようになっている。
【０００４】
これにより、隣接し合うエリア同士の明るさが大幅に異なることが抑制され、複数の表示器の全体として、違和感のない画像が表示されるようになっている。
【先行技術文献】
【特許文献】
【０００５】
【特許文献１】特開２０１２−２２６１７９号公報
【発明の概要】
【発明が解決しようとする課題】
【０００６】
しかしながら、複数の表示器が一列に並ぶように配置される場合であると、視認者にとって、各表示器に対して視角の差が発生して、見た目のコントラストに差が生じてしまい、視認性が低下する。
【０００７】
本発明の目的は、上記問題に鑑み、複数の表示器が一列に並ぶ場合であっても、視認性を向上できる表示装置を提供することにある。
【課題を解決するための手段】
【０００８】
本発明は上記目的を達成するために、以下の技術的手段を採用する。
【０００９】
本発明では、画像を表示する複数の表示器（１１１〜１１４）と、
表示器の背面に配置されて、表示器を照射するバックライト（１２１〜１２４）と、
バックライトの発光量を制御する回路部（１６１〜１６４）と、を備える表示装置において、
複数の表示器は、互いに隣接して一列に並ぶように配置されており、
回路部は、複数の表示器における視認者からの見栄えが同等になるように、複数の表示器に対する視認者の視角（θ１〜θ４）に応じて、発光量を調節して、表示器におけるローカルディミング機能の度合を制御することを特徴としている。
【００１０】
この発明によれば、複数の表示器（１１）が一列に並ぶ場合であっても、各表示器（１１）におけるコントラストを補正して、視認性を向上することができる。
【００１１】
尚、上記各手段の括弧内の符号は、後述する実施形態記載の具体的手段との対応関係を示すものである。
【図面の簡単な説明】
【００１２】
【図１】第１〜第３実施形態の表示装置の全体構成を示す説明図である。
【図２】１つの表示部の構成を示す説明図である。
【図３】第１実施形態において、視角に応じて、ローカルディミングを実施しないバックライトと、実施するバックライトとを示す説明図である。
【図４】ローカルディミングを実施しないバックライトと、実施するバックライトへの供給電流を示す説明図である。
【図５】第２実施形態において、視角に応じて、４つのバックライトに対して、段階的にローカルディミング機能の度合いを設定する場合を示す説明図である。
【図６】図５において、バックライトへの供給電流を示す説明図である。
【図７】第３実施形態において、視角に応じて、４つのバックライトに対して、連続的にローカルディミング機能の度合いを設定する場合を示す説明図である。
【図８】図７において、バックライトへの供給電流を示す説明図である。
【図９】第４実施形態の表示装置を示す説明図である。
【図１０】第５実施形態の表示装置を示す説明図である。
【発明を実施するための形態】
【００１３】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１４】
（第１実施形態）
第１実施形態における表示装置１００について図１〜図４を用いて説明する。本実施形態の表示装置１００は、車両に搭載されて、例えば、車両に関連する各種情報を表示するものとなっている。表示装置１００は、複数の表示部（第１〜第４表示部１０Ａ〜１０Ｄ）が隣接配置されて、大画面となる表示部１０を形成するものとなっている。表示部１０は、例えば、運転者（視認者）と対向する部位が開口された車両インストルメントパネル内で、複数の表示部（１０Ａ〜１０Ｄ）が車両の左右方向（横方向）に、一列に並ぶように配置されている。表示装置１００は、例えば、左ハンドル車に搭載されている（図３）。
【００１５】
図１、図２に示すように、表示部１０における複数（例えば４つ）の表示部は、第１表示部１０Ａ、第２表示部１０Ｂ、第３表示部１０Ｃ、および第４表示部１０Ｄとなっている。第１〜第４表示部１０Ａ〜１０Ｄは、基本的には同一仕様のものとなっている。
【００１６】
第１表示部１０Ａは、表示器１１１、バックライト１２１、映像信号出力回路１３、ユーザ入力部１４、視角補正部１５、および駆動回路１６１を有している。同様に、第２表示部１０Ｂは、表示器１１２、バックライト１２２、映像信号出力回路１３、ユーザ入力部１４、視角補正部１５、および駆動回路１６２を有している。また、第３表示部１０Ｃは、表示器１１３、バックライト１２３、映像信号出力回路１３、ユーザ入力部１４、視角補正部１５、および駆動回路１６３を有している。また、第４表示部１０Ｄは、表示器１１４、バックライト１２４、映像信号出力回路１３、ユーザ入力部１４、視角補正部１５、および駆動回路１６４を有している。各表示器１１１〜１１４は、それぞれの表示面に画像を形成して、この画像を運転者に表示するようになっている。
【００１７】
表示器１１１〜１１４は、各種情報の画像を表示するものであり、例えば、薄膜状のトランジスタを利用したＴＦＴ（Ｔｈｉｎ  Ｆｉｌｍ  Ｔｒａｎｓｉｓｔｏｒ）液晶ディスプレイが使用されている。各表示器１１１〜１１４の表示面は、ここでは横長の長方形（四角形）となっている。各表示器１１１〜１１４における長方形の大きさは、同一のものとなっている。
【００１８】
表示器１１１に表示される画像は、例えば、通常のコンビネーションメータと同様の各種車両情報画像となっている。各種車両情報画像は、例えば、車両の速度値、エンジン回転数値、エンジン水温値、および残量燃料量等の基本情報画像をはじめ、積算走行距離、走行状態（ノーマル、エコ、パワー状態等）、平均燃費、および航続可能距離等の車両インフォメーション画像、更に、不具合の発生に基づく各種注意、警告画像、等である。
【００１９】
また、表示器１１２に表示される画像は、例えば、空調装置に係る空調情報画像となっている。空調情報画像は、例えば、設定温度、風量レベル、吹出しモード等を示す画像となっている。
【００２０】
また、表示器１１３に表示される画像は、例えば、カーナビゲーション装置に係る地図画像となっている。地図画像は、地図上の自車両位置、目的地案内情報等を示す画像となっている。
【００２１】
また、表示器１１４に表示される画像は、例えば、車両外部の後方に設けられた車載カメラによって撮影された車両後方の映像、および車両外部の側方に設けられた車載カメラによって撮影された左右の車両後側方の映像等となっている。尚、車両後側方の映像は、常時表示されるようになっているが、車両後方の映像は、例えば、トランスミッションのギヤがバック（Ｒ）に入れられたときに表示されるようになっている。
【００２２】
バックライト１２１〜１２４は、各表示器１１１〜１１４の背面にそれぞれ配置されて、各表示器１１１〜１１４を照射するものとなっている。即ち、各バックライト１２１〜１２４は、各表示器１１１〜１１４に対して画像形成のための光を出射するようになっている。各バックライト１２１〜１２４は、光源として、例えば、ＬＥＤが使用されている。
【００２３】
各バックライト１２１〜１２４は、それぞれ、表示器１１１〜１１４が配列される方向（図１、図２における左右方向）に、複数（例えば４つ）の領域に区画されている。各区画領域は、各駆動回路１６１〜１６４におけるＬＥＤ駆動回路（１６１１〜１６１４、１６２１〜１６２４、１６３１〜１６３４、１６４１〜１６４４）によってそれぞれ発光量（発光状態）が調節（制御）されるようになっている。つまり、１つのバックライト（１２１〜１２４）ごとに、左右方向に４つの区画領域が形成されて、４つの区画領域のそれぞれは、独立した発光量の調節が可能となっている。
【００２４】
映像信号出力回路１３は、表示すべき画像の映像信号を表示器１１１〜１１４、および視角補正部１５（駆動回路１６１〜１６４）に出力する回路部となっている。
【００２５】
ユーザ入力部１４は、各表示器１１１〜１１４に対する運転者の視角θを設定するためのユーザ情報を入力する部位となっている。ユーザ入力部１４で入力されたユーザ情報は、視角補正部１５に出力されるようになっている。
【００２６】
各表示器１１１〜１１４に対する視角θ（θ１〜θ４）は、図３に示すように、各表示器１１１〜１１４の表示面を直交する軸線（車両前後方向の仮想線分）と、運転者のアイポイント位置および各表示器１１１〜１１４の中心位置を結ぶ線分との成す角である。表示器（１１１〜１１４）の位置が、運転者に対して離れた位置になるほど、視角θは大きくなり、運転者から見える画像のコントラストは低下する。図３では、表示器１１１における視角θをθ１、表示器１１２における視角θをθ２、表示器１１３における視角θをθ３、表示器１１４における視角θをθ４と表示している。
【００２７】
また、ユーザ情報は、各表示器１１１〜１１４に対するユーザのアイポイント位置を推定するための情報であり、例えば、運転者の身長、運転席の前後方向設定位置、および上下方向設定位置等とすることができる。尚、運転席の前後方向設定位置、および上下方向設定位置等については、シートセンサ等を設けて、自動的に入力されるようにしてもよい。
【００２８】
視角補正部１５は、予め登録された、ハンドル設定位置（右か左か）、各表示器１１１〜１１４の配置位置（左右一列、上下一列）等の登録情報、およびユーザ入力部１４から得られたユーザ情報をもとに、各表示器１１１〜１１４に対する視角θ（θ１〜θ４）を推定補正する部位となっている。そして、視角補正部１５は、推定した視角θ（θ１〜θ４）のデータを、各駆動回路１６１〜１６４に出力するようになっている。
【００２９】
駆動回路１６１〜１６４は、各バックライト１２１〜１２４に対する駆動電流を調整することで、各バックライト１２１〜１２４の発光量を制御する回路部となっている。駆動回路１６１は、バックライト１２１の４つの区画領域にそれぞれ対応して、発光量を制御するＬＥＤ駆動回路１６１１、１６１２、１６１３、１６１４を有している。
【００３０】
同様に、駆動回路１６２は、バックライト１２２の４つの区画領域にそれぞれ対応して、発光量を制御するＬＥＤ駆動回路１６２１、１６２２、１６２３、１６２４を有している。また、駆動回路１６３は、バックライト１２３の４つの区画領域にそれぞれ対応して、発光量を制御するＬＥＤ駆動回路１６３１、１６３２、１６３３、１６３４を有している。更に、駆動回路１６４は、バックライト１２４の４つの区画領域にそれぞれ対応して、発光量を制御するＬＥＤ駆動回路１６４１、１６４２、１６４３、１６４４を有している。
【００３１】
本実施形態の表示装置１００は、上記のような構成となっており、以下、図４を加えて、作動および作用効果について説明する。
【００３２】
表示装置１００において、各映像信号出力回路１３から映像信号が各表示器１１１〜１１４に出力され、また、各駆動回路１６１〜１６４によって各バックライト１２１〜１２４の発光量が調整されて、各表示器１１１〜１１４にそれぞれ、車両情報画像、空調情報画像、地図画像、および車両外部の映像が表示される。
【００３３】
このとき、各視角補正部１５は、各ユーザ入力部１４から得られたユーザ情報、および登録情報をもとに、視角θ（θ１〜θ４）を推定する。具体的には、視角補正部１５は、ユーザ情報から、運転者のアイポイント位置を推定し、また、登録情報から、各表示器１１１〜１１４の代表位置として中心位置を算出する。そして各視角補正部１５は、アイポイント位置、および各表示器１１１〜１１４の中心位置を結ぶ線分と、各中心位置を通る車両前後方向の仮想線分との成す角度を、それぞれの表示器１１１〜１１４に対する視角θ（θ１〜θ４）として算出する。そして、視角補正部１５は、算出した視角θ（θ１〜θ４）を各駆動回路１６１〜１６４に出力する。
【００３４】
各駆動回路１６１〜１６４は、視角θに応じて、各バックライト１２１〜１２４に対して、ローカルディミング機能の度合いを制御する（以下、ローカル制御と呼ぶことにする）。ローカルディミングとは、各表示器１１１〜１１４の画像の明るさに合せて、各バックライト１２１〜１２４の発光量を調節することで、画像の見栄え（コントラスト）を補正する手法である。
【００３５】
本実施形態では、各駆動回路１６１〜１６４は、ローカル制御するにあたって、複数の表示器１１１〜１１４のそれぞれに対するローカルディミング機能のオンオフの仕分けによって対応するようにしている。即ち、視角θが相対的に小さいく得られる（相対的に運転者に近い）表示器１１１、１１２に対しては、ローカルディミングを未実施（オフ）とし、視角θが相対的に大きく得られる（相対的に運転者から遠い）表示器１１３、１１４に対して、ローカルディミングを実施（オン）する。
【００３６】
駆動回路１６１、１６２は、各バックライト１２１、１２２の各区画領域に対して、予め定められた所定の電流＝Ｉ０（一定）を与える（ローカルディミングオフ）。また、駆動回路１６３、１６４は、各バックライト１２３、１２４の各区画領域に対して、ローカルディミングを実施するために必要とされる電流＝Ｉ１、Ｉ２、Ｉ３、Ｉ４を与える（ローカルディミングオン）。電流＝Ｉ１〜Ｉ４は、各バックライト１２３、１２４の各区画領域に対応する各表示器１１３、１１４における画像の明るさを平均化したときに、ローカルディミングのために必要とされる電流値として算出したものである。電流＝Ｉ１〜Ｉ４は、電流Ｉ０よりも小さい電流である。
【００３７】
ここで、各表示器１１１〜１１４における各画像は、視角θが大きくなるほど、運転者にはコントラストが低下して視認される。コントラストは、画像の黒色輝度に対する白色輝度の比（コントラスト＝白色輝度／黒色輝度）で定義されている。よって、視角θが相対的に大きくなる側の表示器１１３、１１４における画像の黒色の輝度を下げるように、バックライト１２３、１２４への供給電流（Ｉ１〜Ｉ４）をＩ０よりも下げてローカル制御することで、コントラストを上げ、４つの表示器１１１〜１１４の画像の見栄えを同等にするのである。これにより、複数の表示器１１１〜１１４が一列に並ぶ場合であっても、各表示器１１１〜１１４におけるコントラストを補正して、視認性を向上することができる。
【００３８】
尚、ローカルディミングをオフとするバックライト１２１、１２２と、オンとするバックライト１２３、１２４は、上記設定に限定されるものではない。例えば、オフとするバックライトを１２１、オンとするバックライトを１２２、１２３、１２４とする、あるいは、オフとするバックライトを１２１〜１２３、オンとするバックライトを１２４とする等、運転者の視認性に応じて変更可能である。
【００３９】
（第２実施形態）
第２実施形態の表示装置１００を図５、図６に示す。第２実施形態の表示装置１００は、上記第１実施形態の表示装置１００と構成は同一としつつも、ローカル制御の要領を変更したものである。
【００４０】
各駆動回路１６１〜１６４は、各表示器１１１〜１１４に対してローカルディミング機能の度合いを段階的に変更するようになっており、１つの表示器（１１１〜１１４）に対しては、ローカルディミングの度合いは一定としている。更に具体的には、視角θの小さい側の表示器１１１から、視角θの大きい側の表示器１１４に向けて、ローカルディミング機能の度合いが、０％→３０％→６０％→１００％となるように、ローカル制御を行う。
【００４１】
１．ローカルディミング機能０％とするバックライト１２１への供給電流
ローカルディミング０％とする電流は、
ＬＥＤ駆動回路１６１１の電流＝Ｉ０、
ＬＥＤ駆動回路１６１２の電流＝Ｉ０、
ＬＥＤ駆動回路１６１３の電流＝Ｉ０、
ＬＥＤ駆動回路１６１４の電流＝Ｉ０、とする（図４と同じ）。
【００４２】
２．ローカルディミング機能３０％とするバックライト１２２への供給電流
ローカルディミング０％の電流＝Ｉ０、通常のローカルディミングを実施するために必要とされる電流＝Ｉ１２、Ｉ２２、Ｉ３２、Ｉ４２とすると、
ＬＥＤ駆動回路１６２１の電流＝Ｉ１２＋（１−０．３）×ΔＩ１２、
ＬＥＤ駆動回路１６２２の電流＝Ｉ２２＋（１−０．３）×ΔＩ２２、
ＬＥＤ駆動回路１６２３の電流＝Ｉ３２＋（１−０．３）×ΔＩ３２、
ＬＥＤ駆動回路１６２４の電流＝Ｉ４２＋（１−０．３）×ΔＩ４２、とし、
ΔＩ１２＝（Ｉ０−Ｉ１２）、
ΔＩ２２＝（Ｉ０−Ｉ２２）、
ΔＩ３２＝（Ｉ０−Ｉ３２）、
ΔＩ４２＝（Ｉ０−Ｉ４２）、とする。
【００４３】
３．ローカルディミング機能６０％とするバックライト１２３への供給電流
ローカルディミング０％の電流＝Ｉ０、通常のローカルディミングを実施するために必要とされる電流＝Ｉ１３、Ｉ２３、Ｉ３３、Ｉ４３とすると、
ＬＥＤ駆動回路１６３１の電流＝Ｉ１３＋（１−０．６）×ΔＩ１３、
ＬＥＤ駆動回路１６３２の電流＝Ｉ２３＋（１−０．６）×ΔＩ２３、
ＬＥＤ駆動回路１６３３の電流＝Ｉ３３＋（１−０．６）×ΔＩ３３、
ＬＥＤ駆動回路１６３４の電流＝Ｉ４３＋（１−０．６）×ΔＩ４３、とし、
ΔＩ１３＝（Ｉ０−Ｉ１３）、
ΔＩ２３＝（Ｉ０−Ｉ２３）、
ΔＩ３３＝（Ｉ０−Ｉ３３）、
ΔＩ４３＝（Ｉ０−Ｉ４３）、とする。
【００４４】
４．ローカルディミング機能１００％とするバックライト１２４への供給電流
ローカルディミング０％の電流＝Ｉ０、通常のローカルディミングを実施するために必要とされる電流＝Ｉ１４、Ｉ２４、Ｉ３４、Ｉ４４とすると、
ＬＥＤ駆動回路１６４１の電流＝Ｉ１４＋（１−１．０）×ΔＩ１４、
ＬＥＤ駆動回路１６４２の電流＝Ｉ２４＋（１−１．０）×ΔＩ２４、
ＬＥＤ駆動回路１６４３の電流＝Ｉ３４＋（１−１．０）×ΔＩ３４、
ＬＥＤ駆動回路１６４４の電流＝Ｉ４４＋（１−１．０）×ΔＩ４４、とし、
ΔＩ１４＝（Ｉ０−Ｉ１４）、
ΔＩ２４＝（Ｉ０−Ｉ２４）、
ΔＩ３４＝（Ｉ０−Ｉ３４）、
ΔＩ４４＝（Ｉ０−Ｉ４４）、とする。ここでは、各ＬＥＤ駆動回路１６４１〜１６４４の電流計算式における第２項は０となるので、各電流はＩ１４、Ｉ２４、Ｉ３４、Ｉ４４となる。
【００４５】
これにより、各表示器１１１〜１１４が運転者から離れるほど（視角θが大きくなるほど）、各表示器１１１〜１１４におけるローカルディミング機能の度合いを段階的に大きくすることができ、複数の表示器１１１〜１１４が一列に並ぶ場合であっても、各表示器１１１〜１１４におけるコントラストを補正して、視認性を向上することができる。
【００４６】
尚、本実施形態ではローカルディミングの度合いを０％、３０％、６０％、および１００％と設定したが、これに限定されることなく、他の設定も可能である。例えば、段階的にローカルディミングの度合いが増加するものであれば、２５％、５０％、７５％、および１００％のような他の設定も可能である。
【００４７】
また、供給電流の設定要領（計算式）も、上記内容に限定されるものではなく、他の設定要領にて設定してもよい。
【００４８】
（第３実施形態）
第３実施形態の表示装置１００を図７、図８に示す。第３実施形態の表示装置１００は、上記第１実施形態の表示装置１００と構成は同一としつつも、ローカル制御の要領を変更したものである。
【００４９】
各駆動回路１６１〜１６４は、各表示器１１１〜１１４におけるローカルディミング機能の度合いを徐変して、各表示器１１１〜１１４の全体に対してローカルディミング機能の度合いが連続的に変化（０％〜１００％に変化）するようにローカル制御を行う。
【００５０】
１．バックライト１２１への供給電流
ローカルディミング０％とする電流は、
ＬＥＤ駆動回路１６１１の電流＝Ｉ０、
ＬＥＤ駆動回路１６１２の電流＝Ｉ０、
ＬＥＤ駆動回路１６１３の電流＝Ｉ０、
ＬＥＤ駆動回路１６１４の電流＝Ｉ０、とする（図４と同じ）。
【００５１】
２．バックライト１２２への供給電流
ローカルディミング０％の電流＝Ｉ０、通常のローカルディミングを実施するために必要とされる電流＝Ｉ１２、Ｉ２２、Ｉ３２、Ｉ４２とすると、
ＬＥＤ駆動回路１６２１の電流＝Ｉ０、
ＬＥＤ駆動回路１６２２の電流＝Ｉ２２＋（１−０．１）×ΔＩ２２、
ＬＥＤ駆動回路１６２３の電流＝Ｉ３２＋（１−０．２）×ΔＩ３２、
ＬＥＤ駆動回路１６２４の電流＝Ｉ４２＋（１−０．３）×ΔＩ４２、とし、
ΔＩ２２＝（Ｉ０−Ｉ２２）、
ΔＩ３２＝（Ｉ０−Ｉ３２）、
ΔＩ４２＝（Ｉ０−Ｉ４２）、とする。
【００５２】
３．バックライト１２３への供給電流
ローカルディミング０％の電流＝Ｉ０、通常のローカルディミングを実施するために必要とされる電流＝Ｉ１３、Ｉ２３、Ｉ３３、Ｉ４３とすると、
ＬＥＤ駆動回路１６３１の電流＝Ｉ１３＋（１−０．４）×ΔＩ１３、
ＬＥＤ駆動回路１６３２の電流＝Ｉ２３＋（１−０．５）×ΔＩ２３、
ＬＥＤ駆動回路１６３３の電流＝Ｉ３３＋（１−０．６）×ΔＩ３３、
ＬＥＤ駆動回路１６３４の電流＝Ｉ４３＋（１−０．７）×ΔＩ４３、とし、
ΔＩ１３＝（Ｉ０−Ｉ１３）、
ΔＩ２３＝（Ｉ０−Ｉ２３）、
ΔＩ３３＝（Ｉ０−Ｉ３３）、
ΔＩ４３＝（Ｉ０−Ｉ４３）、とする。
【００５３】
４．バックライト１２４への供給電流
ローカルディミング０％の電流＝Ｉ０、通常のローカルディミングを実施するために必要とされる電流＝Ｉ１４、Ｉ２４、Ｉ３４、Ｉ４４とすると、
ＬＥＤ駆動回路１６４１の電流＝Ｉ１４＋（１−０．８）×ΔＩ１４、
ＬＥＤ駆動回路１６４２の電流＝Ｉ２４＋（１−０．９）×ΔＩ２４、
ＬＥＤ駆動回路１６４３の電流＝Ｉ３４＋（１−０．９５）×ΔＩ３４、
ＬＥＤ駆動回路１６４４の電流＝Ｉ４４、とし、
ΔＩ１４＝（Ｉ０−Ｉ１４）、
ΔＩ２４＝（Ｉ０−Ｉ２４）、
ΔＩ３４＝（Ｉ０−Ｉ３４）、とする。
【００５４】
これにより、各表示器１１１〜１１４が運転者から離れるほど（視角θが大きくなるほど）、各表示器１１１〜１１４におけるローカルディミング機能の度合いを連続的に大きくすることができる。よって、複数の表示器１１１〜１１４が一列に並ぶ場合であっても、各表示器１１１〜１１４におけるコントラストを滑らかに補正して、更に視認性を向上することができる。
【００５５】
尚、本実施形態ではローカルディミングの度合いを表示器１１１において０％、表示器１１２〜１１４において０％〜１００％に連続的変化するものとして設定したが、これに限定されることなく、他の設定も可能である。例えば、表示器１１１〜１１４において、連続的にローカルディミングの度合いが増加する（０％〜１００％になる）ようにしてもよい。
【００５６】
また、供給電流の設定要領（計算式）も、上記内容に限定されるものではなく、他の設定要領にて設定してもよい。
【００５７】
（第４実施形態）
第４実施形態の表示装置１００Ａを図９に示す。第４実施形態の表示装置１００Ａは、上記第１実施形態の表示装置１００に対して、各バックライト１２１〜１２４（４つ）を１つのバックライト１２１Ａとしたものである。
【００５８】
バックライト１２１Ａは、４つの表示器１１１〜１１４に対応するように左右方向の長さが設定されており、左右方向に複数の領域に区画されている。例えば、上記第１実施形態と類似するように、バックライト１２１Ａは、１つの表示器（１１１〜１１４）に対してそれぞれ左右方向に例えば４つの区画領域が形成され、全体で１６の区画領域が形成されて、１６の区画領域ごとに発光量が独立して調節可能となっている。
【００５９】
そして、各駆動回路１６１〜１６４は、上記第２実施形態と同様に、各表示器１１１〜１１４に対してローカルディミング機能の度合いを変更するようになっている。即ち、１つの表示器（１１１〜１１４）に対しては、ローカルディミングの度合いは一定として、視角θの小さい側の表示器１１１から、視角θの大きい側の表示器１１４に向けて、ローカルディミング機能の度合いが、０％→３０％→６０％→１００％となるように、ローカル制御を行う。
【００６０】
各駆動回路１６１〜１６４が行う電流の制御（供給電流の設定）は、上記第２実施形態と同じである。
【００６１】
これにより、複数のバックライト１２１〜１２４を１つのバックライト１２１Ａとして、部品点数を低減して、上記第２実施形態と同様に視認性の向上を図ることができる。
【００６２】
（第５実施形態）
第５実施形態の表示装置１００Ａを図１０に示す。第５実施形態の表示装置１００Ａは、上記第４実施形態の表示装置１００Ａと構成は同一としつつも、ローカル制御の要領を変更したものである。
【００６３】
即ち、各駆動回路１６１〜１６４は、上記第３実施形態と同様に、各表示器１１１〜１１４に対してローカルディミング機能の度合いを、視角θ（θ１〜θ４）に対して、つまり運転者からの距離に対して比例するように徐変して、全体でローカルディミング機能の度合いが０％〜１００％となるように変化させて、ローカル制御を行うようになっている。
【００６４】
これにより、複数のバックライト１２１〜１２４を１つのバックライト１２１Ａとして、部品点数を低減して、上記第３実施形態と同様に視認性の向上を図ることができる。
【００６５】
（その他の実施形態）
上記各実施形態では、表示器１１１〜１１４は、４つ設けられるものとして説明したが、設定数はこれに限定されるものではなく、２つ、３つ、５つ以上等としてもよい。
【００６６】
また、上記各実施形態では、表示器１１１〜１１４は、左右方向に一列に並ぶものとして説明したが、例えば、インストルメントパネルの中央からセンターコンソールにかけて、上下方向に一列に並ぶものに適用してもよい。
【００６７】
また、上記各実施形態では、表示器１１１〜１１４としては、ＴＦＴ液晶ディスプレイに代えて、例えば、有機化合物を用いた層状の構造体から成る有機ＥＬディスプレイ等の他のタイプの表示器を用いたものとしてもよい。有機ＥＬディスプレイは、例えば、低温環境下における表示機能にも優れており、そのような環境下での使用に適している。
【符号の説明】
【００６８】
１００、１００Ａ  表示装置
１１１、１１２、１１３、１１４  表示器
１２１、１２２、１２３、１２４  バックライト
１６１、１６２、１６３、１６４  駆動回路（回路部）
【図１】
2020076831.tif 000003
【図２】
2020076831.tif 000004
【図３】
2020076831.tif 000005
【図４】
2020076831.tif 000006
【図５】
2020076831.tif 000007
【図６】
2020076831.tif 000008
【図７】
2020076831.tif 000009
【図８】
2020076831.tif 000010
【図９】
2020076831.tif 000011
【図１０】
2020076831.tif 000012